(57)【特許請求の範囲】
【請求項１】
扉の背面で回動側の側部に沿って複数の取付箇所にロック部材が配置され、扉の正面に取り付けられたハンドルの操作に連動して前記各ロック部材に連結されたロックバーを扉の背面の側部に沿って進退駆動することにより、前記各ロック部材を筐体側の受け部に対して係合離脱する形式の多点締め込み式ロックシステムであって、
前記各ロック部材は、
高い剛性を有する材料からなり、扉の背面の前記取付箇所に固着される固着部、及び前記固着部から延び、両側面間を貫通する軸挿通部を有する支持部を具備する取付ベースと、
高い剛性を有する材料からなり、基端側に形成され、前記取付ベースの軸挿通部に連通する軸挿通部を有する回動支点部、前記回動支点部から先端側に向けて側面視断面略Ｌ字形形状に形成され、当該略Ｌ字形形状のうち前記回動支点部側に向けられる面をロック係合面として略直線的な平坦面とするフック部、及び前記回動支点部と前記フック部との間で前記回動支点部に隣接して、かつ前記フック部の前記ロック係合面に対して側面視断面略Ｖ字形又は略Ｕ字形の溝を介して対向して形成され、前記回動支点部の前記軸挿通部と平行の軸挿通部を有する作動支点部を具備するフックプレートと、
を備え、
前記各取付ベースは、前記固着部が扉の背面の前記各取付箇所に固着されて、前記支持部が扉の背面に対して略直角に扉の後方に向けて突出され、
前記各フックプレートは、前記回動支点部の軸挿通部と前記各取付ベースの軸挿通部との間に連結軸を通して前記各取付ベースに回動可能に取り付けられるとともに、前記各作動支点部の軸挿通部に前記ロックバーに突設される軸を通して前記ロックバーに作動連結され、
前記受け部は、高い剛性を有する材料からなり、筐体に固定される固定部、及び前記固定部から平面視断面略Ｌ字形形状又は略Ｕ字形形状に延び、当該略Ｌ字形形状又は略Ｕ字形形状のうち筐体と平行で筐体側に向けられる面をロック被係合面として略直線的な平坦面とするフック係合部を備え、
前記各受け部は、前記固定部が筐体の正面で扉の背面の前記各ロック部材に対応する位置に固定されて、前記フック係合部が筐体の正面に平行に配置され、
前記ハンドルの操作により前記ロックバーを駆動して、前記各フックプレートの前記作動支点部を前記各フックプレートの前記回動支点部を回動中心にして回動させることにより、前記各フックプレートの前記フック部を前記受け部の前記フック係合部内に挿入し、前記各フック部の前記ロック係合面と前記フック係合部の前記ロック被係合面とを前記フックプレートの前記作動支点と略同じ高さ位置で対接係合させる、
ことを特徴とする多点締め込み式ロックシステム。
【請求項２】
ロック部材は、扉の複数の取付箇所のうち下部側の取付箇所に配置される下部側ロック部材と上部側の取付箇所に配置される上部側ロック部材とを備え、前記下部側ロック部材は下部側の取付箇所にフックプレートのフック部の先端が下向きに取り付けられて、前記下部側ロック部材のフックプレートの作動支点が下部側のロックバーに軸支され、前記上部側ロック部材は上部側の取付箇所に前記フックプレートの前記フック部の先端が上向きに取り付けられて、前記上部側ロック部材の前記フックプレートの作動支点部が上部側のロックバーに軸支され、扉の正面で前記下部側ロック部材と前記上部側ロック部材との間に当たる位置に前記下部側ロック部材及び前記上部側ロック部材共通のハンドルが取り付けられて、前記ハンドルと前記下部側及び上部側の各ロックバーが作動連結される請求項１に記載の多点締め込み式ロックシステム。
【請求項３】
ハンドルは、扉の正面で下部側ロック部材と上部側ロック部材との間に当たる位置に形成される取付開口上に取り付けられ、上部側に前記取付開口に連通する開口部及び当該開
口部の両側から前記取付開口を通して扉の背面側に突出される作動レバー取付部を有するハンドルベースと、前記ハンドルベースの上部側に扉の正面と平行な第１の固定枢軸を介して枢着されて前記ハンドルベース上に起伏回動可能に装着され、上部側に前記取付開口を通して扉の背面側に突出可能な作動アームを有するハンドルレバーと、前記ハンドルレバーの前記作動アームの突出端に上端を前記第１の固定枢軸と平行な第１の可動枢軸を介して枢着され、上端から下端にかけて略逆Ｌ字形をなす第１の連結リンクと、前記第１の連結リンクの下端に上端を前記第１の固定枢軸と平行な第２の可動枢軸を介して枢着され、上端から下方向に延びる作動支点部及び当該作動支点部下端で一端が前記ハンドルベースの前記作動レバー取付部に前記第１の固定枢軸と平行な第２の固定枢軸を介して枢着されて他端が扉の後方に向けて下方斜めに延びる作動部を有する下部側の作動レバーと、前記第１の連結リンクの中間部に下端を前記第１の固定枢軸と平行な第３の可動枢軸を介して枢着され、下端から上端にかけて略直線的な形状をなす第２の連結リンクと、前記第２の連結リンクの上端に下端を前記第１の固定枢軸と平行な第４の可動枢軸を介して枢着され、下端から上方向に延びる作動支点部及び当該作動支点部上端で一端が前記ハンドルベースの前記作動レバー取付部に前記第１の固定枢軸と平行な第３の固定枢軸を介して枢着されて他端が扉の後方に向けて上方斜めに延びる作動部を有する上部側の作動レバーと、前記第１の固定枢軸と前記第２の固定枢軸との間に介装され、前記ハンドルベースから起立状態の前記ハンドルレバーを保持し、前記ハンドルベースに倒伏状態の前記ハンドルレバーを保持する反転ばねとを備え、前記下部側の作動レバー、前記上部側の作動レバーはそれぞれ、前記下部側のロックバー、前記上部側のロックバーに作動連結されて、前記ハンドルレバーを前記ハンドルベース上に倒伏させる前記ハンドルレバーの回動操作により、前記下部側及び上部側の各作動レバーを略ハの字形に開動して、下部側の作動レバーを下方向に、前記上部側の作動レバーを上方向に、それぞれ駆動し、前記下部側のロック部材は前記フックプレートを下方向に回動して前記フック部を前記受け部の前記フック係合部に上から係合させ、前記上部側のロック部材は前記フックプレートを上方向に回動して前記フック部を前記受け部の前記フック係合部に下から係合させ、前記ハンドルレバーを前記ハンドルベース上に起立させる前記ハンドルの回動操作により、前記下部側及び上部側の各作動レバーを略逆ハの字形に閉動して、下部側の作動レバーを上方向に、前記上部側の作動レバーを下方向に、それぞれ駆動し、前記下部側のロック部材は前記フックプレートを上方向に回動して前記フック部を前記受け部の前記フック係合部から離脱させ、前記上部側のロック部材は前記フックプレートを下方向に回動して前記フック部を前記受け部の前記フック係合部から離脱させる請求項２に記載の多点締め込み式ロックシステム。
【請求項４】
ハンドルは、ハンドルベースの正面下部側に扉の正面と平行な軸を介して上下方向に回動可能に取り付けられるとともに常態としてばねにより回動付勢されて前記ハンドルベースの正面に対して略直角に支持され、前方に向けて突出される前端部側に爪部を有するフック、及びハンドルレバーの背面下部側に前記ハンドルレバーの後方に向けて突出され、当該後方に突出される後端部に前記フックの前記爪部に係合可能な受け部を有するフック受け部を具備し、前記ハンドルレバーを前記ハンドルベース上に倒伏させることにより、前記フックと前記フック受け部とを弾性係合させて前記ハンドルレバーの回動を規制し、前記ハンドルレバーを前記ハンドルベース上に保持するレバーキャッチと、前記ハンドルベースに前記レバーキャッチに隣接して鍵穴を前方に向けて取り付けられるシリンダ錠、前記シリンダ錠のロータの前記鍵穴とは反対側の後端部側に前記ハンドルベースの上下方向にスライド可能に配設され、前記シリンダ錠のロータにスライドガイドを介して作動連結されて、前記シリンダ錠のキー操作により、前記ロータをロック位置に回すことにより前記レバーキャッチの前記フックに対して係合しない位置にスライド駆動され、前記フックと前記フック受け部との係合を保持し、前記ロータをアンロック位置に回すことにより前記レバーキャッチの前記フックに対して係合する位置にスライド駆動され、前記フックを前記ばねの付勢力に抗して押圧回動して、前記フックと前記フック受け部との係合を解除するスライドプレートとを具備し、前記レバーキャッチによる前記ハンドルベース上の
前記ハンドルレバーの回動規制を解除する錠前ユニットとを併せて備える請求項３に記載の多点締め込み式ロックシステム。
【請求項５】
一方の側部がヒンジ部材を介して筐体の一方の側部に回動可能に連結され、他方の側部がロック装置を介して筐体に締め込まれる形式で、筐体内部で発生した大きな圧力に抗する防爆扉であって、
前記ロック装置に、
請求項１乃至４のいずれかに記載の多点締め込み式ロックシステムを用いた、
ことを特徴とする防爆扉。
【発明の詳細な説明】
【技術分野】
【０００１】
本発明は、防爆扉など筐体内部の圧力の上昇により大きな圧力に接する扉その他筐体に確実に保持されることが求められる扉に使用する多点締め込み式ロックシステム及びこれを用いた防爆扉に関する。
【背景技術】
【０００２】
一般に高圧配電箱などは、筐体内部で高電圧を遮断（短絡）する際に、その電気的エネルギーが瞬時に集まり、アークが放出されて、その放出されたアークが爆発のような状態となり、筐体内が高圧となって、扉が吹き飛ばされることがある。この種の筐体の扉は、かかる短絡アーク発生時の内圧上昇にそなえて、防爆構造が採られている。防爆扉は、ヒンジやロック部を強化するなどして、内部爆発によって扉が破損し、周辺の機器や周辺の人に影響することのないように工夫がなされたものである。
この種の防爆扉が、例えば特許文献１などに記載されている。この文献１の防爆扉は、筐体の一側部にヒンジ部材を介して連結され、他側部に係止金具などの錠装置が配設されて、これらヒンジ部材と錠装置とにより、扉が筐体に密着して締め込まれ、短絡アーク発生時の爆風により、筐体内部の破損物が筐体外部に飛散しないようになっている。
【先行技術文献】
【特許文献】
【０００３】
【特許文献１】実用新案登録第３０３４４９６号公報
【発明の概要】
【発明が解決しようとする課題】
【０００４】
しかしながら、従来の防爆扉などの扉の締め込み構造では、扉が筐体に一方の側部のヒンジ部材と他方の側部の係止金具などにより結合されて、扉の全周のごく一部が固定されているだけなので、筐体内部で短絡アークの発生などにより筐体内部の圧力が上昇して、扉に数トンの圧力が加えられた場合に、係止金具などの錠装置ではこの内圧に耐え切れず扉を保持することができない、という問題がある。
【０００５】
本発明は、このような従来の問題を解決するもので、扉の回動側の側部を複数の錠止点でロック部材と受け部との係合により固定し、特に各錠止点でのロック部材と受け部との係合を、扉を筐体の内部から外部に押し出す方向への力に十分に抗し得るものとし、例えば筐体内部で短絡アークの発生などにより筐体内部の圧力が上昇して、扉に数トンの圧力が加えられた場合でも、各錠止点での各部材の係合を維持し、扉を確実に保持することのできる多点締め込み式ロックシステム及びこれを用いた防爆扉を提供すること、を目的とする。
【課題を解決するための手段】
【０００６】
上記目的を達成するために、本発明は、
扉の背面で回動側の側部に沿って複数の取付箇所にロック部材が配置され、扉の正面に取り付けられたハンドルの操作に連動して前記各ロック部材に連結されたロックバーを扉の背面の側部に沿って進退駆動することにより、前記各ロック部材を筐体側の受け部に対して係合離脱する形式の多点締め込み式ロックシステムであって、
前記各ロック部材は、
高い剛性を有する材料からなり、扉の背面の前記取付箇所に固着される固着部、及び前記固着部から延び、両側面間を貫通する軸挿通部を有する支持部を具備する取付ベースと、
高い剛性を有する材料からなり、基端側に形成され、前記取付ベースの軸挿通部に連通する軸挿通部を有する回動支点部、前記回動支点部から先端側に向けて側面視断面略Ｌ字形形状に形成され、当該略Ｌ字形形状のうち前記回動支点部側に向けられる面をロック係合面として略直線的な平坦面とするフック部、及び前記回動支点部と前記フック部との間で前記回動支点部に隣接して、かつ前記フック部の前記ロック係合面に対して側面視断面略Ｖ字形又は略Ｕ字形の溝を介して対向して形成され、前記回動支点部の前記軸挿通部と平行の軸挿通部を有する作動支点部を具備するフックプレートと、
を備え、
前記各取付ベースは、前記固着部が扉の背面の前記各取付箇所に固着されて、前記支持部が扉の背面に対して略直角に扉の後方に向けて突出され、
前記各フックプレートは、前記回動支点部の軸挿通部と前記各取付ベースの軸挿通部との間に連結軸を通して前記各取付ベースに回動可能に取り付けられるとともに、前記各作動支点部の軸挿通部に前記ロックバーに突設される軸を通して前記ロックバーに作動連結され、
前記受け部は、高い剛性を有する材料からなり、筐体に固定される固定部、及び前記固定部から平面視断面略Ｌ字形形状又は略Ｕ字形形状に延び、当該略Ｌ字形形状又は略Ｕ字形形状のうち筐体と平行で筐体側に向けられる面をロック被係合面として略直線的な平坦面とするフック係合部を備え、
前記各受け部は、前記固定部が筐体の正面で扉の背面の前記各ロック部材に対応する位置に固定されて、前記フック係合部が筐体の正面に平行に配置され、
前記ハンドルの操作により前記ロックバーを駆動して、前記各フックプレートの前記作動支点部を前記各フックプレートの前記回動支点部を回動中心にして回動させることにより、前記各フックプレートの前記フック部を前記受け部の前記フック係合部内に挿入し、前記各フック部の前記ロック係合面と前記フック係合部の前記ロック被係合面とを前記フックプレートの前記作動支点と略同じ高さ位置で対接係合させる、
ことを要旨とする。
この多点締め込み式ロックシステムはさらに次のように具体化される。
（１）ロック部材は、扉の複数の取付箇所のうち下部側の取付箇所に配置される下部側ロック部材と上部側の取付箇所に配置される上部側ロック部材とを備え、前記下部側ロック部材は下部側の取付箇所にフックプレートのフック部の先端が下向きに取り付けられて、前記下部側ロック部材のフックプレートの作動支点が下部側のロックバーに軸支され、前記上部側ロック部材は上部側の取付箇所に前記フックプレートの前記フック部の先端が上向きに取り付けられて、前記上部側ロック部材の前記フックプレートの作動支点部が上部側のロックバーに軸支され、扉の正面で前記下部側ロック部材と前記上部側ロック部材との間に当たる位置に前記下部側ロック部材及び前記上部側ロック部材共通のハンドルが取り付けられて、前記ハンドルと前記下部側及び上部側の各ロックバーが作動連結される。
（２）ハンドルは、扉の正面で下部側ロック部材と上部側ロック部材との間に当たる位置に形成される取付開口上に取り付けられ、上部側に前記取付開口に連通する開口部及び当該開口部の両側から前記取付開口を通して扉の背面側に突出される作動レバー取付部を有するハンドルベースと、前記ハンドルベースの上部側に扉の正面と平行な第１の固定枢軸を介して枢着されて前記ハンドルベース上に起伏回動可能に装着され、上部側に前記取付開口を通して扉の背面側に突出可能な作動アームを有するハンドルレバーと、前記ハンドルレバーの前記作動アームの突出端に上端を前記第１の固定枢軸と平行な第１の可動枢軸を介して枢着され、上端から下端にかけて略逆Ｌ字形をなす第１の連結リンクと、前記第１の連結リンクの下端に上端を前記第１の固定枢軸と平行な第２の可動枢軸を介して枢着され、上端から下方向に延びる作動支点部及び当該作動支点部下端で一端が前記ハンドルベースの前記作動レバー取付部に前記第１の固定枢軸と平行な第２の固定枢軸を介して枢着されて他端が扉の後方に向けて下方斜めに延びる作動部を有する下部側の作動レバーと、前記第１の連結リンクの中間部に下端を前記第１の固定枢軸と平行な第３の可動枢軸を介して枢着され、下端から上端にかけて略直線的な形状をなす第２の連結リンクと、前記第２の連結リンクの上端に下端を前記第１の固定枢軸と平行な第４の可動枢軸を介して枢着され、下端から上方向に延びる作動支点部及び当該作動支点部上端で一端が前記ハンドルベースの前記作動レバー取付部に前記第１の固定枢軸と平行な第３の固定枢軸を介して枢着されて他端が扉の後方に向けて上方斜めに延びる作動部を有する上部側の作動レバーと、前記第１の固定枢軸と前記第２の固定枢軸との間に介装され、前記ハンドルベースから起立状態の前記ハンドルレバーを保持し、前記ハンドルベースに倒伏状態の前記ハンドルレバーを保持する反転ばねとを備え、前記下部側の作動レバー、前記上部側の作動レバーはそれぞれ、前記下部側のロックバー、前記上部側のロックバーに作動連結されて、前記ハンドルレバーを前記ハンドルベース上に倒伏させる前記ハンドルレバーの回動操作により、前記下部側及び上部側の各作動レバーを略ハの字形に開動して、下部側の作動レバーを下方向に、前記上部側の作動レバーを上方向に、それぞれ駆動し、前記下部側のロック部材は前記フックプレートを下方向に回動して前記フック部を前記受け部の前記フック係合部に上から係合させ、前記上部側のロック部材は前記フックプレートを上方向に回動して前記フック部を前記受け部の前記フック係合部に下から係合させ、前記ハンドルレバーを前記ハンドルベース上に起立させる前記ハンドルの回動操作により、前記下部側及び上部側の各作動レバーを略逆ハの字形に閉動して、下部側の作動レバーを上方向に、前記上部側の作動レバーを下方向に、それぞれ駆動し、前記下部側のロック部材は前記フックプレートを上方向に回動して前記フック部を前記受け部の前記フック係合部から離脱させ、前記上部側のロック部材は前記フックプレートを下方向に回動して前記フック部を前記受け部の前記フック係合部から離脱させる。
（３）ハンドルは、ハンドルベースの正面下部側に扉の正面と平行な軸を介して上下方向に回動可能に取り付けられるとともに常態としてばねにより回動付勢されて前記ハンドルベースの正面に対して略直角に支持され、前方に向けて突出される前端部側に爪部を有するフック、及びハンドルレバーの背面下部側に前記ハンドルレバーの後方に向けて突出され、当該後方に突出される後端部に前記フックの前記爪部に係合可能な受け部を有するフック受け部を具備し、前記ハンドルレバーを前記ハンドルベース上に倒伏させることにより、前記フックと前記フック受け部とを弾性係合させて前記ハンドルレバーの回動を規制し、前記ハンドルレバーを前記ハンドルベース上に保持するレバーキャッチと、前記ハンドルベースに前記レバーキャッチに隣接して鍵穴を前方に向けて取り付けられるシリンダ錠、前記シリンダ錠のロータの前記鍵穴とは反対側の後端部側に前記ハンドルベースの上下方向にスライド可能に配設され、前記シリンダ錠のロータにスライドガイドを介して作動連結されて、前記シリンダ錠のキー操作により、前記ロータをロック位置に回すことにより前記レバーキャッチの前記フックに対して係合しない位置にスライド駆動され、前記フックと前記フック受け部との係合を保持し、前記ロータをアンロック位置に回すことにより前記レバーキャッチの前記フックに対して係合する位置にスライド駆動され、前記フックを前記ばねの付勢力に抗して押圧回動して、前記フックと前記フック受け部との係合を解除するスライドプレートとを具備し、前記レバーキャッチによる前記ハンドルベース上の前記ハンドルレバーの回動規制を解除する錠前ユニットとを併せて備える。
【０００７】
また、本発明は、一方の側部がヒンジ部材を介して筐体の一方の側部に回動可能に連結され、他方の側部がロック装置を介して筐体に締め込まれる形式で、筐体内部で発生した大きな圧力に抗する防爆扉であって、前記ロック装置に、上記の多点締め込み式ロックシステムを用いた、ことを要旨とする。
【発明の効果】
【０００８】
（１）本発明の多点締め込み式ロックシステムによれば、上記の構成により、扉の回動側の側部の複数箇所に高い剛性を有するロック部材を設け、これに対応して筐体側に高い剛性を有する受け部を設け、ハンドルの操作によりロックバーを駆動して、各ロック部材のフックプレートの作動支点部をフックプレートの回動支点部を回動中心にして回動させることにより、フックプレートのフック部を筐体側の各受け部のフック係合部内に挿入し、フック部のロック係合面とフック係合部のロック被係合面とをフックプレートの作動支点と略同じ高さ位置で対接係合させるようにしたので、扉の回動側の側部を複数の複数箇所でロック部材と受け部との係合により固定し、特に各箇所でのロック部材と受け部の高い剛性とその係合形式により、扉を筐体の内部から外部に押し出す方向への力に十分に抗する耐圧構造を実現し、例えば筐体内部で短絡アークの発生などにより筐体内部の圧力が上昇して、扉に数トンの圧力が加えられた場合でも、各錠止点での各部材の係合を維持し、扉を確実に保持することができる、という本発明独自の格別な効果を奏する。
（２）本発明の防爆扉によれば、上記多点締め込み式ロックシステムを用いたことで、扉の回動側の側部を複数の複数箇所でロック部材と受け部との係合により固定し、特に各箇所でのロック部材と受け部の高い剛性とその係合形式により、扉を筐体の内部から外部に押し出す方向への力に十分に抗する耐圧構造を実現し、例えば筐体内部で短絡アークの発生などにより筐体内部の圧力が上昇して、扉に数トンの圧力が加えられた場合でも、各錠止点での各部材の係合を維持し、扉を確実に保持することができる、という本発明独自の格別な効果を奏する。
【図面の簡単な説明】
【０００９】
【図１】本発明の一実施の形態における多点締め込み式ロックシステム及びこれを用いた防爆扉を示す図（（ａ）は正面図（ｂ）は側面断面図）
【図２】同多点締め込み式ロックシステム及びこれを用いた防爆扉を適用する筐体を示す図（（ａ）は正面図（ｂ）は側面図）
【図３】同防爆扉の扉本体を示す図（（ａ）は背面図（ｂ）は側面断面図）
【図４】同防爆扉の扉本体と筐体とを結合するヒンジ部材を示す図（（ａ）は正面図（ｂ）は平面図）
【図５】同防爆扉の扉本体と筐体がヒンジ部材を介して結合された状態を示す図（（ａ）は扉本体の閉状態を示す平断面図（ｂ）は扉本体の開状態を示す平断面図）
【図６】同多点締め込み式ロックシステムを示す図（一部省略側面図）
【図７】同多点締め込み式ロックシステムに用いるロック部材及び受け部を示す図（（ａ）は正面図（ｂ）は側面図（ｃ）は平面図）
【図８】同多点締め込み式ロックシステムに用いるロック部材の特に取付ベースを示す図（（ａ）は平面図（ｂ）は正面図（ｃ）は側面図）
【図９】同多点締め込み式ロックシステムに用いるロック部材の特にフックプレートを示す図（側面図）
【図１０】同多点締め込み式ロックシステムに用いるロック部材の特に取付ベース及びフックプレートの取付状態を示す図（斜視図）
【図１１】同多点締め込み式ロックシステムに用いる受け部を示す図（（ａ）は平面図（ｂ）は側面図（ｃ）は正面図）
【図１２】同多点締め込み式ロックシステムに用いるハンドルを示す図（（ａ）は平面図（ｂ）は側面断面図）
【図１３】同多点締め込み式ロックシステムに用いるハンドルを示す図（背面図）
【図１４】同多点締め込み式ロックシステムの動作例を示す図（（ａ）はロック部材のフックプレートと受け部が係合された状態を示す平面図（ｂ）はロック部材のフックプレートと受け部が係合された状態を示す側面図（ｃ）はロック部材のフックプレートと受け部との係合が解除された状態を示す側面図）
【発明を実施するための形態】
【００１０】
次に、本発明の一実施の形態について図を用いて説明する。
図１に多点締め込み式ロックシステム及びこれを用いた防爆扉を示している。
図１に示すように、防爆扉Ｄは、扉本体ｄが鋼板など剛性を有する材料からなり、一方の側部が複数（この場合、４つ）のヒンジ部材１を介して筐体Ｂの一方の側部に回動可能に連結され、他方の回動側の側部がロック装置として用いられた多点締め込み式ロックシステムＳにより筐体Ｂに締め込まれる形式で、筐体Ｂ内部で発生した大きな圧力に抗する構造になっている。
なお、この場合、筐体Ｂは、図２に示すように、全体が縦に長い箱形に構成され、正面は所定幅の上部フレームｆ１、左右両側部フレームｆ２，ｆ３、及び下部フレームｆ４からなり、これら各フレームｆ１，ｆ２，ｆ３，ｆ４の内側縁部から前方に向けて所定の長さの延長フレーム（上延長フレームｆ５、左右延長フレームｆ６，ｆ７、下延長フレームｆ８）が取り付けられて、正面に延長フレームｆ５，ｆ６，ｆ７，ｆ８に包囲された開口が形成される。
【００１１】
扉本体ｄは、図３に示すように、鋼板など剛性を有する材料により、筐体Ｂの正面を覆い、かつ正面の延長フレームｆ５，ｆ６，ｆ７，ｆ８を内包可能に、全体が縦に長く、背面を開放された薄形の箱形に形成され、正面板ｐ１、上面板ｐ２、左側面板ｐ３、右側面板ｐ４、及び下面板ｐ５を有する。
【００１２】
各ヒンジ部材１は、図４に示すように、鋼材など剛性を有する材料により形成され、一対の取付ベース１１と、ヒンジ本体１２と、ヒンジピン１３と、一対のスナップピン１４とからなる。
この場合、一対の取付ベース１１はそれぞれ、全体が縦断面略Ｌ字形に形成され、取付ボルト挿通部を有する略矩形状の取付部１１１と、取付部１１１の一端から直角に延び、ヒンジピン挿通部を有する略半楕円形状の受け部１１３とからなる。ヒンジ本体１２は横断面略コ字形に形成され、一端側から順に取付ボルト挿通部を有する縦に長い矩形状の取付部１２１、縦に長い矩形状の中間部１２２、縦に長い矩形状の支持部１２３からなり、支持部１２３の端部が略円筒形に巻回されてヒンジピン挿通部１２４になっている。ヒンジピン１３はヒンジ本体１２のヒンジピン挿通部１２４の径よりも少し小径でヒンジピン挿通部１２４の長さよりも少し長いピンからなり、上下の各端部にスナップピン挿通部を有する。一対のスナップピン１４はそれぞれ、円弧部抜け止めタイプである。
しかして各ヒンジ本体１２は取付部１２１が筐体Ｂの正面一方の側部、この場合、正面の右側部フレームｆ３の各取付箇所に取付ボルトｂ１により固着されて取り付けられ、取付部１２１の前側にヒンジピン挿通部１２４が配置される。各一対の取付ベース１１は、一方が受け部１１３を下側にして取付部１１１を扉本体ｄの一方の側面、この場合、右側面板ｐ４の各取付箇所上部に取付ボルトｂ２により固着して取り付けられ、取付部１１１の前側に受け部１１３が配置され、他方が受け部１１３を上側にして取付部１１１を扉本体ｄの一方の側面、この場合、右側面板ｐ４の各取付箇所下部に取付ボルトｂ２により固着して取り付けられ、取付部１１１の前側に受け部１１３が配置される。そして、筐体Ｂ側の各ヒンジ本体１２の各ヒンジピン挿通部１２４の上下に扉本体ｄ側の各取付ベース１１の各ヒンジピン挿通部が合わせられ、これらのヒンジピン挿通部にヒンジピン１３が挿通され、ヒンジピン１３の上下の各スナップピン挿通部にスナップピン１４を通されて、各ヒンジ部材１が組み立てられる。かかるヒンジ部材１を介して、扉本体ｄが筐体Ｂの正面に回動可能に連結される（図５参照）。
【００１３】
多点締め込み式ロックシステムＳは、図６に示すように、扉本体ｄの背面で他方の回動側の側部に沿って複数の取付箇所にロック部材２が配置され、扉本体ｄの正面に取り付け
られたハンドル４の操作に連動して各ロック部材２に連結されたロックバー３を扉本体ｄの背面の側部に沿って進退駆動することにより、各ロック部材２を筐体Ｂ側の各受け部５に対して係合離脱する形式になっている。
【００１４】
各ロック部材２は、図７に示すように、取付ベース２１と、フックプレート２２とを備える。取付ベース２１は、図８に示すように、鋼材など高い剛性を有する材料により剛体として形成され、扉本体ｄの背面他方の側部の取付箇所に固着される固着部２１１、及びこの固着部２１１から延び、左右両側面間を貫通する軸挿通部２１２を有する支持部２１３を具備する。この場合、取付ベース２１は、横断面略Ｌ字形に形成され、取付ボルト挿通部を有する略矩形状の固着部２１１と、軸挿通部２１２を有する略三角形状の支持部２１３とからなる。フックプレート２２は、図９に示すように、鋼材など高い剛性を有する材料により剛体として形成され、基端側に形成され、左右両側面間を貫通され、取付ベース２１の軸挿通部２１２に連通する軸挿通部２２０を有する回動支点部２２１、回動支点部２２１から先端側に向けて側面視断面略Ｌ字形形状に形成され、この略Ｌ字形形状のうち回動支点部２２１側に向けられる面をロック係合面Ｒ１として略直線的な平坦面とするフック部２２２、及び回動支点部２２１とフック部２２２との間で回動支点部２２１に隣接して、かつフック部２２２のロック係合面Ｒ１に対して側面視断面略Ｖ字形又は略Ｕ字形の溝２２３を介して対向して形成され、回動支点部２２１の軸挿通部２２０と平行の軸挿通部２２４を有する作動支点部２２５を具備する。この場合、フックプレート２２は、図９に示すとおり、フック部２２２が略Ｌ字形となるように水平面上に置かれると、フック部２２２のロック係合面Ｒ１は鉛直方向に延び、作動支点部２２５は軸挿通部２２４が回転支点部２２１の軸挿通部２２０に対して斜め上方に位置し、フック部２２２のロック係合面Ｒ１に略同じ高さ位置で対向配置される。
しかして各取付ベース２１は、図７及び図１０に示すように、固着部２１１が扉本体ｄの背面他方の側部、この場合、正面板ｐ１の背面他方の側部の各取付箇所に固着されて、支持部２１３が扉本体ｄの背面に対して略直角に扉本体ｄの後方に向けて突出され、各フックプレート２２は、図７及び図１０に示すように、回動支点部２２１の軸挿通部２２０と各取付ベース２１の軸挿通部２１２との間に連結軸２３を通して各取付ベース２１に回動可能に取り付けられるとともに、各作動支点部２２５の軸挿通部２２４にロックバー３に突設される軸３１を通してロックバー３に作動連結される。
【００１５】
受け部５は、図１１に示すように、鋼材など高い剛性を有する材料により剛体として形成され、筐体Ｂに固定される固定部５１、及び固定部５１の一端から平面視断面略Ｌ字形形状に延び、この略Ｌ字形形状のうち固定部５１と平行で（取付時に）筐体Ｂ（の正面）側に向けられる面をロック被係合面Ｒ２として略直線的な平坦面とするフック係合部５２を備える。この場合、受け部５は細長い長方形の鋼板が略Ｚ形に形成されて、一端の平面部に取付ボルト挿通部が形成されて固定部５１をなし、他端の平面部がフック係合部５２をなす。
各受け部５は、図７に示すように、固定部５１が筐体Ｂの正面他方の側部、この場合、正面の左側部フレームｆ２で扉本体ｄの背面の各ロック部材２に対応する位置に取付ボルトｂ３により固定されて、フック係合部５２が筐体Ｂの正面に平行に配置される。
【００１６】
このようにしてこの多点締め込み式ロックシステムＳ（図６参照）は、ハンドル４の操作によりロックバー３を駆動して、各フックプレート２２の作動支点部２２５を各フックプレート２２の回動支点部２２１を回動中心にして回動させることにより、各フックプレート２２のフック部２２２を各受け部５のフック係合部５２内に挿入し、フック部２２２のロック係合面Ｒ１とフック係合部５２のロック被係合面Ｒ２とをフックプレート２２の作動支点部２２５と略同じ高さ位置で対接係合させるようになっている。
【００１７】
また、この多点締め込み式ロックシステムＳでは、図６に示すように、複数のロック部
材２が、扉本体ｄの複数の取付箇所のうち、下部側の取付箇所に配置される下部側ロック部材Ｄ２と、上部側の取付箇所に配置される上部側ロック部材Ｕ２とを備え、また、ロックバー３が、下部側のロックバーＤ３と、上部側のロックバーＵ３とを備え、下部側ロック部材Ｄ２は下部側の取付箇所にフックプレート２２のフック部２２２の先端が下向きに取り付けられて、下部側ロック部材Ｄ２のフックプレート２２の作動支点部２２５が下部側のロックバーＤ３に軸支され、上部側ロック部材Ｕ２は上部側の取付箇所にフックプレート２２のフック部２２２の先端が上向きに取り付けられて、上部側ロック部材Ｕ２のフックプレート２２の作動支点部２２５が上部側のロックバーＵ３に軸支され、扉本体ｄの正面で下部側ロック部材Ｄ２と上部側ロック部材Ｕ２との間に当たる位置に下部側ロック部材Ｄ２及び上部側ロック部材Ｕ２共通のハンドル４が取り付けられて、ハンドル４と下部側及び上部側の各ロックバーＤ３，Ｕ３が作動連結され、このハンドル４の操作により下部側及び上部側の各ロックバーＤ３，Ｕ３を駆動して、下部側、上部側の各ロック部材Ｄ２，Ｕ２の各フックプレート２２の作動支点部２２５を各フックプレート２２の回動支点部２２１を回動中心にして回動させることにより、各フックプレート２２のフック部２２２を受け部５のフック係合部５２内に挿入し、フック部２２２のロック係合面Ｒ１とフック係合部５２のロック被係合面Ｒ２とをフックプレート２２の作動支点部２２５と略同じ高さ位置で対接係合させるようにしてある。
【００１８】
この場合、ハンドル４は、図１２に示すように、扉本体ｄの正面で下部側ロック部材Ｄ２と上部側ロック部材Ｕ２との間に当たる位置に形成される取付開口上に取り付けられ、上部側に取付開口に連通する開口部４１０及びこの開口部４１０の左右両側から取付開口を通して扉本体ｄの背面側に突出される作動レバー取付部４１１を有するハンドルベース４１と、ハンドルベース４１の上部側に扉本体ｄの正面と平行な第１の固定枢軸４３１を介して枢着されてハンドルベース４１上に起伏回動可能に装着され、上部側に取付開口を通して扉本体ｄの背面側に突出可能な作動アーム４２１を有するハンドルレバー４２と、ハンドルレバー４２の作動アーム４２１の突出端に上端を第１の固定枢軸４３１と平行な第１の可動枢軸４４１を介して枢着され、上端から下端にかけて略逆Ｌ字形をなす第１の連結リンク４５１と、第１の連結リンク４５１の下端に上端を第１の固定枢軸４３１と平行な第２の可動枢軸４４２を介して枢着され、上端から下方向に延びる作動支点部４６１及びこの作動支点部４６１下端で一端がハンドルベース４１の作動レバー取付部４１１に第１の固定枢軸４３１と平行な第２の固定枢軸４３２を介して枢着されて他端が扉本体ｄの後方に向けて下方斜めに延びる作動部４６２を有する下部側の作動レバー４６と、第１の連結リンク４５１の中間部に下端を第１の固定枢軸４３１と平行な第３の可動枢軸４４３を介して枢着され、下端から上端にかけて略直線的な形状をなす第２の連結リンク４５２と、第２の連結リンク４５２の上端に下端を第１の固定枢軸４３１と平行な第４の可動枢軸４４４を介して枢着され、下端から上方向に延びる作動支点部４７１及びこの作動支点部４７１上端で一端がハンドルベース４１の作動レバー取付部４１１に第１の固定枢軸４３１と平行な第３の固定枢軸４３３を介して枢着されて他端が扉本体ｄの後方に向けて上方斜めに延びる作動部４７２を有する上部側の作動レバー４７と、第１の固定枢軸４３１と第２の固定枢軸４３２との間に介装され、ハンドルベース４１から起立状態のハンドルレバー４２を保持し、ハンドルベース４１に倒伏状態のハンドルレバー４２を保持する反転ばね４８とを備え、下部側の作動レバー４６、上部側の作動レバー４７がそれぞれ、下部側のロックバーＤ３、上部側のロックバーＵ３に作動連結される。
また、このハンドル４は、ハンドルベース４１上に倒伏され、ハンドルベース４１上に収納状態のハンドルレバー４２の回動を規制し、ハンドルレバー４２をハンドルベース４１上に保持するレバーキャッチ６と、レバーキャッチ６によるハンドルベース４１上に収納状態のハンドルレバー４２の回動規制を解除し、ハンドルレバー４２をハンドルベース４１でフリー（回動可能）にする錠前ユニット７とを併せて備える。
レバーキャッチ６は、ハンドルベース４１の正面下部側に扉本体ｄの正面と平行な軸６１１を介して上下方向に回動可能に取り付けられるとともに常態としてばね６１２により一方向に回動付勢されてハンドルベース４１の正面に対して略直角に支持され、前方に向けて突出される前端部側に爪部６１３を有するフック６１と、ハンドルレバー４２の背面下部側にハンドルレバー４２の後方に向けて突出され、その後方に突出される後端部にフック６１の爪部６１３に係合可能な受け部６２１を有するフック受け部６２を具備する。この場合、フック６１の爪部６１３はフック６１の前端部側に下向きに突出して形成され、後方に向けられる後面がフック受け部６２との係合面で、フック６１の下面はフック６１の前端部から下方に向けて斜めに形成されてフック受け部６２との係合ガイド面になっている。ばね６１２は錠前ユニット７（この場合、シリンダ錠７１の側面）とフック６１（この場合、フック６１の回動中心よりも前側の部分）との間に介設され、フック６１は常態として下方に向けて回動付勢されて、ハンドルベース４１の正面に対して直角に向けられる。また、フック受け部６２はハンドルレバー４２の背面から後方に平面視略Ｌ字形に延び、その後端部に受け部６２１が形成されて、その前方に向けられる前面がフック６１との係合面になっている。このようにしてハンドルレバー４２をハンドルベース４１上に倒伏させる動作により、フック受け部６２をフック６１のガイド面に沿って当接させて、ばね６１２の付勢力に抗してフック６１を押圧回動し、フック６１とフック受け部６２とを弾性係合させることにより、ハンドルレバー４２の回動を規制し、ハンドルレバー４２をハンドルベース４１上に保持するようになっている。
錠前ユニット７は、ハンドルベース４１にレバーキャッチ６に隣接して鍵穴を前方に向けて取り付けられるシリンダ錠７１と、シリンダ錠７１のロータ７１０の鍵穴とは反対側の後端部側にハンドルベース４１の上下方向にスライド可能に配設され、シリンダ錠７１のロータ７１０にスライドガイド７３を介して作動連結されて、シリンダ錠７１のキー操作により、ロータ７１０をロック位置に回すことによりレバーキャッチ６のフック６１に対して係合しない後退位置にスライド駆動され、フック６１とフック受け部６２との係合を保持し、ロータ７１０をアンロック位置に回すことによりレバーキャッチ６のフック６１に対して係合する前進位置にスライド駆動され、フック６１をばね６１２の付勢力に抗して押圧回動して、フック６１とフック受け部６２との係合を解除するスライドプレート７２とを具備する。この場合、スライドガイド７３は、図１３に示すように、シリンダ錠７１のロータ７１０の後端面にロータ７１０の回転中心に対して偏芯された位置に配設され、ロータ７１０とともに回転可能なガイド凸起７３１と、スライドプレート７２のプレート面にスライドプレート７２のスライド方向に対して直交する方向に所定の長さの長穴状に貫通形成されるガイド穴７３２とを具備し、シリンダ錠７１のガイド凸起７３１とスライドプレート７２のガイド穴７３２が係合されて構成される。このようにしてシリンダ錠７１のキー操作により、ロータ７１０をロック位置に回し、ロータ７１０の軸周りでガイド凸起７３１を回動すると、このガイド凸起７３１に連動してスライドプレート７２がレバーキャッチ６のフック６１に対して係合しない位置、この場合、シリンダ錠７１側にスライドされ、レバーキャッチ６のフック６１とフック受け部６２との係合が保持されたままとなり、反対に、ロータ７１０をアンロック位置に回し、ロータ７１０の軸周りでガイド凸起７３１を回動すると、このガイド凸起７３１に連動してスライドプレート７２がレバーキャッチ６のフック６１に対して係合する位置までスライドされ、このスライドプレート７２でフック６１をばね６１２の付勢力に抗して（この場合、上方向に）押圧回動し、フック６１とフック受け部６２との係合を解除して、レバーキャッチ６によるハンドルベース４１上でのハンドルレバー４２の回動規制を解除するようになっている。
【００１９】
図１４にこの多点締め込み式ロックシステムＳによる扉本体ｄの締め込み動作を示している。
図１４（ａ）、（ｂ）に示すように、（ハンドルレバー４２の回動操作により）ハンドルレバー４２をハンドルベース４１上に倒伏させると、下部側及び上部側の各作動レバー４６、４７が略ハの字形に開動して、下部側の作動レバー４６を下方向に、上部側の作動レバー４７を上方向に、それぞれ駆動して、下部側のロック部材Ｄ２はフックプレート２２を下方向に回動してフック部２２２を受け部５のフック係合部５２に上から係合し（図
６参照）、これと同時に、上部側のロック部材Ｕ２はフックプレート２２を上方向に回動してフック部２２２を受け部５のフック係合部５２に下から係合し、ハンドル４の１回の回動操作により、扉本体ｄの回動側の側部が筐体Ｂに複数の箇所で錠止される。そして、この状態はハンドルベース４１上に倒伏収納されたハンドルレバー４２がレバーキャッチ６により回動規制されて保持される（図１２参照）。なお、この状態からハンドルレバー４２を回動操作する際は、既述のとおり、錠前ユニット７のキー操作によりハンドルベース４１上でハンドルレバー４２をフリーにする必要がある。
反対に、図１４（ｂ）に示すように、（ハンドルレバー４２の回動操作により）ハンドルレバー４２を起立させると、下部側及び上部側の各作動レバー４６、４７が略逆ハの字形に閉動して、下部側の作動レバー４６を上方向に、上部側の作動レバー４７を下方向に、それぞれ駆動して、下部側のロック部材Ｄ２はフックプレート２２を上方向に回動してフック部２２２を受け部５のフック係合部５２から離脱し（図６参照）、これと同時に、上部側のロック部材Ｕ２はフックプレート２２を下方向に回動してフック部２２２を受け部５のフック係合部５２から離脱し、ハンドル４の１回の回動操作により、扉本体ｄと筐体Ｂの複数箇所の錠止が解除される。
【００２０】
そして、この多点締め込み式ロックシステムＳでは、図６に示すように、扉本体ｄの回動側の側部を複数箇所でロック部材２と受け部５との係合により固定し、特に各箇所でのロック部材２と受け部５が剛体からなり、図１４（ｂ）に示すように、フック部２２２のロック係合面Ｒ１とフック係合部５２のロック被係合面Ｒ２とをフックプレート２２の作動支点部２２５と略同じ高さ位置で対接係合させる係合形式になっているので、これが扉本体ｄを筐体Ｂの内部から外部に押し出す方向への力に十分に抗する強い耐圧構造となって、例えば筐体Ｂ内部で短絡アークの発生などにより筐体内部の圧力が上昇して、扉本体ｄに数トンの圧力が加えられた場合でも、各錠止点でのロック部材２と受け部５との係合状態は強固に維持され、扉本体ｄは確実に保持される。
【００２１】
以上説明したように、この多点締め込み式ロックシステムＳによれば、扉本体ｄの回動側の側部の複数箇所に剛体からなるロック部材２を設け、これに対応して筐体Ｂ側に剛体からなる受け部５を設け、ハンドル４の操作によりロックバー３を駆動して、各ロック部材２のフックプレート２２の作動支点部２２５をフックプレート２２の回動支点部２２１を回動中心にして回動させることにより、フックプレート２２のフック部２２２を筐体Ｂ側の各受け部５のフック係合部５２内に挿入し、フック部２２２のロック係合面Ｒ１とフック係合部５２のロック被係合面Ｒ２とをフックプレート２２の作動支点部２２５と略同じ高さ位置で対接係合させるようにしたので、扉本体ｄの回動側の側部を複数の複数箇所でロック部材２と受け部５との係合により固定し、特に各箇所でのロック部材２と受け部５の高い剛性とその係合形式により、扉本体ｄを筐体Ｂの内部から外部に押し出す方向への力に十分に抗する耐圧構造を実現し、例えば筐体Ｂ内部で短絡アークの発生などにより筐体Ｂ内部の圧力が上昇して、扉本体ｄに数トンの圧力が加えられた場合でも、各錠止点での各部材２、５の係合を維持し、扉本体ｄを確実に保持することができる。
したがって、この防爆扉Ｄによれば、多点締め込み式ロックシステムＳを用いたことで、扉本体ｄの回動側の側部を複数の複数箇所でロック部材２と受け部５との係合により固定し、特に各箇所でのロック部材２と受け部５の高い剛性とその係合形式により、扉本体ｄを筐体Ｂの内部から外部に押し出す方向への力に十分に抗する耐圧構造を実現し、例えば筐体Ｂ内部で短絡アークの発生などにより筐体Ｂ内部の圧力が上昇して、扉本体ｄに数トンの圧力が加えられた場合でも、各錠止点での各部材２、５の係合を維持し、扉本体ｄを確実に保持することができる。
【００２２】
また、この多点締め込み式ロックシステムＳ及びこれを用いた防爆扉Ｄでは、下部側ロック部材Ｄ２、上部側ロック部材Ｕ２、下部側のロックバーＤ３、上部側のロックバーＵ３、及び下部側、上部側の各ロック部材Ｄ２，Ｕ２に共通のハンドル４を用い、ハンドル４の下部側の作動レバー４６、上部側の作動レバー４７がそれぞれ、下部側のロックバーＤ３、上部側のロックバーＵ３に作動連結されて、ハンドルレバー４２をハンドルベース４１上に倒伏させるハンドルレバー４２の回動操作により、下部側、上部側の各作動レバー４６，４７を略ハの字形に開動して、下部側の作動レバー４６を下方向に、上部側の作動レバー４７を上方向に、それぞれ駆動し、下部側のロック部材Ｄ２のフックプレート２２を下方向に回動してフック部２２２を受け部５のフック係合部５２に上から係合させ、上部側のロック部材Ｕ２のフックプレート２２を上方向に回動してフック部２２２を受け部５のフック係合部５２に下から係合させ、反対に、ハンドルレバー４２をハンドルベース４１上に起立させるハンドルレバー４２の回動操作により、下部側、上部側の各作動レバー４６，４７を略逆ハの字形に閉動して、下部側の作動レバー４６を上方向に、上部側の作動レバー４７を下方向に、それぞれ駆動し、下部側のロック部材Ｄ２のフックプレート２２を上方向に回動してフック部２２２を受け部５のフック係合部５２から離脱させ、上部側のロック部材Ｕ２のフックプレート２２を下方向に回動してフック部２２２を受け部５のフック係合部５２から離脱させるようにしたので、縦に長い防爆扉Ｄの長い側部全域に多点締め込み式ロックシステムＳを組み込み、ハンドル操作のしやすい扉本体ｄの上下方向中間位置にハンドル４を設けて、縦に長い防爆扉Ｄでも、扉本体ｄを確実に保持し、ハンドル操作も容易に行うことができる。
【００２３】
また、このハンドル４には、ハンドルベース４１上に倒伏収納されたハンドルレバー４２の回動を規制してハンドルレバー４２をハンドルベース４１上に保持するフック６１とフック受け部６２からなるレバーキャッチ６を併せて備えたので、ハンドルレバー４２をハンドルベース４１上に倒伏させる簡単な操作で、レバーキャッチ６のフック６１とフック受け部６２とを弾性係合させて、ハンドルレバー４２をハンドルベース４１上に確実に保持し、各ロック部材２の各受け部５に対する係合状態を確実に維持して、扉本体ｄの締め込み状態をより確実に保持することができる。
しかも、このレバーキャッチ６によるハンドルレバー４２の回動規制は、シリンダ錠７１を用いた錠前ユニット７により解除するようにしたので、ハンドルレバー４２はハンドルベース４１上に一度収納されるとロック状態となり、このロック解除はシリンダ錠７１の鍵の管理者のみが行え、防爆扉など安全管理上不特定多数の者による開閉を制限し、常態として施錠が必要な扉に、極めて有効となる。
【００２４】
なお、この実施の形態では、受け部は、筐体に固定される固定部、及び固定部の一端から平面視断面略Ｌ字形形状に延び、この略Ｌ字形形状のうち固定部と平行で（取付時に）筐体（の正面）側に向けられる面をロック被係合面として略直線的な平坦面とするフック係合部を備えるものとしたが、この受け部のフック係合部は、固定部の一端から平面視断面略Ｕ字形形状に延び、この略Ｕ字形形状のうち固定部と平行で（取付時に）筐体（の正面）側に向けられる面をロック被係合面として略直線的な平坦面としてもよい。このようにしても受け部について上記実施の形態と同様の作用効果を得ることができる。
また、複数のロック部材は、扉本体の複数の取付箇所のうち下部側の取付箇所に配置される下部側ロック部材と、上部側の取付箇所に配置される上部側ロック部材とを備え、下部側ロック部材は下部側の取付箇所にフックプレートのフック部の先端が下向きに取り付けられて、下部側ロック部材のフックプレートの作動支点が下部側のロックバーに軸支され、上部側ロック部材は上部側の取付箇所にフックプレートのフック部の先端が上向きに取り付けられて、上部側ロック部材のフックプレートの作動支点部が上部側のロックバーに軸支され、扉の正面で下部側ロック部材と上部側ロック部材との間に当たる位置に下部側ロック部材及び上部側ロック部材共通のハンドルが取り付けられて、ハンドルと下部側及び上部側の各ロックバーが作動連結されるようにしたが、複数のロック部材は、特に、下部側ロック部材、上部側ロック部材とせず、すべて、各取付箇所にフックプレートのフック部の先端が下向き又は上向きに取り付けられて、各ロック部材のフックプレートの作動支点部が共通のロックバーに軸支され、扉の正面でロックバーの一方端に当たる位置に
一般に知られている既存の多点締め込み用のハンドルが取り付けられて、ハンドルとロックバーが作動連結されるようにしてもよい。このようにしても扉本体の保持について上記実施の形態と同様の作用効果を奏することができる。
【符号の説明】
【００２５】
Ｂ  筐体
ｆ１  上部フレーム
ｆ２  左側部フレーム
ｆ３  右側部フレーム
ｆ４  下部フレーム
ｆ５  上延長フレーム
ｆ６  左延長フレーム
ｆ７  右延長フレーム
ｆ８  下延長フレーム
Ｄ  防爆扉
ｄ  扉本体
ｐ１  正面板
ｐ２  上面板
ｐ３  左側面板
ｐ４  右側面板
ｐ５  下面板
１ ヒンジ部材
１１  取付ベース
１１１  取付部
１１３  受け部
１２  ヒンジ本体
１２１  取付部
１２２  中間部
１２３  支持部
１２４  ヒンジピン挿通部
１３  ヒンジピン
１４  スナップピン
Ｓ  多点締め込み式ロックシステム
２  ロック部材
Ｄ２  下部側ロック部材
Ｕ２  上部側ロック部材
２１  取付ベース
２１１  固着部
２１２  軸挿通部
２１３  支持部
２２  フックプレート
２２０  軸挿通部
２２１  回動支点部
Ｒ１  ロック係合面
２２２  フック部
２２３  溝
２２４  軸挿通部
２２５  作動支点部
２３  連結軸
３  ロックバー
Ｄ３  下部側のロックバー
Ｕ３  上部側のロックバー
３１  軸
４  ハンドル
４１  ハンドルベース
４１０  開口部
４１１  作動レバー取付部
４２  ハンドルレバー
４２０  開口
４２１  作動アーム
４３１  第１の固定枢軸
４３２  第２の固定枢軸
４３３  第３の固定枢軸
４４１  第１の可動枢軸
４４２  第２の可動枢軸
４４３  第３の可動枢軸
４４４  第４の可動枢軸
４５１  第１の連結リンク
４５２  第２の連結リンク
４６  下部側の作動レバー
４６１  作動支点部
４６２  作動部
４７  上部側の作動レバー
４７１  作動支点部
４７２  作動部
４８  反転ばね
５  受け部
５１  固定部
Ｒ２  ロック被係合面
５２  フック係合部
６  レバーキャッチ
６１  フック
６１１  軸
６１２  ばね
６１３  爪部
６２  フック受け部
６２１  受け部
７  錠前ユニット
７０  取付部
７１  シリンダ錠
７１０  ロータ
７２  スライドプレート
７３  スライドガイド
７３１  ガイド凸起
７３２  ガイド穴
ｂ１  取付ボルト
ｂ２  取付ボルト
ｂ３  取付ボルト
【図１】
0006587835.tif 000002
【図２】
0006587835.tif 000003
【図３】
0006587835.tif 000004
【図４】
0006587835.tif 000005
【図５】
0006587835.tif 000006
【図６】
0006587835.tif 000007
【図７】
0006587835.tif 000008
【図８】
0006587835.tif 000009
【図９】
0006587835.tif 000010
【図１０】
0006587835.tif 000011
【図１１】
0006587835.tif 000012
【図１２】
0006587835.tif 000013
【図１３】
0006587835.tif 000014
【図１４】
0006587835.tif 000015